(57)【要約】【課題】振動吸収性が損なわれることなく、優れた組み立て性を備えたハードディスク装置を提供する。【解決手段】本発明のハードディスク装置２００は、複数のハードディスク１２０と、複数のハードディスク１２０の各々を保持する複数の保持部１０１と、保持部１０１に保持された複数のハードディスク１２０が着脱可能に収容される本体部２１０と、を備えている。そして、保持部１０１とハードディスク１２０との間には、保持部１０１側から順に振動吸収部材１１０と保持部１０１よりも剛性の高い剛性部材１１１とが設けられている。【選択図】図１
2010287261.tif 000002
【特許請求の範囲】
【請求項１】
複数のハードディスクと、
前記複数のハードディスクの各々を保持する複数の保持部と、
前記保持部に保持された前記複数のハードディスクが着脱可能に収容される本体部と、を備え、
前記保持部と前記ハードディスクとの間には、前記保持部側から順に振動吸収部材と前記保持部よりも剛性の高い剛性部材とが設けられることを特徴とするハードディスク装置。
【請求項２】
前記保持部は、前記ハードディスクを挟持するアーム部を有し、前記アーム部と前記ハードディスクとの間に前記振動吸収部材及び前記剛性部材が設けられることを特徴とする請求項１に記載のハードディスク装置。
【請求項３】
前記ハードディスクは、前記アーム部と対向する面が凹凸形状を有していることを特徴とする請求項２に記載のハードディスク装置。
【請求項４】
前記本体部は、前記保持部を挿入可能な溝を有し、
前記保持部は、前記溝内に挿入された際に当該溝の内壁面に当接する突起を有することを特徴とする請求項１〜３のいずれか一項に記載のハードディスク装置。
【発明の詳細な説明】
【技術分野】
【０００１】
本発明は、記憶媒体として用いられるハードディスクを複数搭載したハードディスク装置に関し、特に振動吸収性を損なうこと無く、優れた組み立て性を有したハードディスク装置に関するものである。
【背景技術】
【０００２】
ハードディスクは振動により性能劣化が発生するため、振動を抑えることが重要である。一方、複数のハードディスクを搭載したハードディスク装置においては、信頼性或いはメンテナンス性の観点より、ハードディスクを容易に着脱可能とする構成が必要とされる。そのため、装置本体を構成する筐体とハードディスクとの間には隙間が存在し、ハードディスクは筐体に対して確実に固定された状態とはなっておらず、十分にハードディスクの振動が抑えられているとは言い難かった。
【０００３】
これに対し、ハードディスクの振動を抑えるための技術は様々存在し、例えば下記特許文献１に示すように振動エネルギーを熱エネルギーに変換可能な振動吸収材を用いた技術が知られている。
【先行技術文献】
【特許文献】
【０００４】
【特許文献１】特開２００４−１２８３９６号公報
【発明の概要】
【発明が解決しようとする課題】
【０００５】
しかしながら、上記特許文献１においては、筐体内に収容されたハードディスクは、筐体の外側から補助具を介して螺子止めされている。そのため、ハードディスクを筐体内に組み込む際、或いは筐体内から取り外す際に手間がかかるという問題があった。
【０００６】
本発明は、上記従来技術の問題点に鑑み成されたものであって、振動吸収性が損なわれることなく、優れた組み立て性を備えたハードディスク装置を提供することを目的の一つとしている。
【課題を解決するための手段】
【０００７】
本発明のハードディスク装置は、上記課題を解決するために、複数のハードディスクと、前記複数のハードディスクの各々を保持する複数の保持部と、前記保持部に保持された前記複数のハードディスクが着脱可能に収容される本体部と、を備え、前記保持部と前記ハードディスクとの間には、前記保持部側から順に振動吸収部材と前記保持部よりも剛性の高い剛性部材とが設けられることを特徴とする。
【発明の効果】
【０００８】
本発明によれば、保持部が振動により変位した際、振動吸収部材の保持部側の面が変形し、剛性部材側の面が静止した状態となる。このとき、振動吸収部材には圧縮と引張りの力が作用することで振動エネルギーが良好に吸収される。また、保持部を介してハードディスクを本体部から容易に着脱可能となるため、優れた組み立て性を得ることができる。したがって、振動吸収性を損なわれることなく、組み立て性に優れたハードディスク装置を提供できる。また、ハードディスクと振動吸収部材との間に剛性部材が配置されるので、ハードディスクの取付面の形状に影響されることなく、良好な振動吸収特性を得ることができる。
【図面の簡単な説明】
【０００９】
【図１】ハードディスク装置の一部を分解した斜視構成図。
【図２】ディスクユニットを装置本体内に実装した状態における要部の断面構成図。
【図３】拘束板が存在しない場合の振動吸収概念モデル図。
【図４】本実施形態に係る構成における振動吸収概念モデル図。
【発明を実施するための形態】
【００１０】
以下、本発明の実施形態につき、図面を参照して説明する。なお、以下の説明に用いる各図面では、各部材を認識可能な大きさとするため、各部材の縮尺を適宜変更している。
【００１１】
図１は本実施形態に係るハードディスク装置の一部を分解した斜視構成図である。
図１に示すように、ハードディスク装置２００は、記憶媒体である複数のディスクユニット１００と、複数のディスクユニット１００を着脱可能に収容する装置本体（本体部）２１０とを備えている。ここで、ディスクユニット１００とは、ハードディスク１２０と該ハードディスク１２０を保持するキャリア（保持部材）１０１とを含むものである。
【００１２】
ハードディスク１２０はキャリア１０１にねじ１１２によって固定されている。また、キャリア１０１の側面には、ハードディスク１２０を挟持するキャリアアーム（アーム部）１０４が一体に成形されている。このようにハードディスク１２０は、キャリア１０１によって両側面が確実に保持されたものとなっている。
【００１３】
キャリア１０１のキャリアアーム１０４とハードディスク１２０との間には、振動吸収体（振動吸収部材）１１０と、後述するように振動吸収体１１０の振動吸収効果を高めるための拘束板（剛性部材）１１１が設けられている。振動吸収体１１０と拘束板１１１は、ねじ１１２によりハードディスク１２０と共に固定される構造となっている。
【００１４】
本実施形態においては、振動吸収体１１０の振動吸収効果を高めるため、キャリアアーム１０４の材料として剛性の低いプラスチック材料を使用し、拘束板１１１としては剛性の高い金属材料を使用している。
【００１５】
装置本体２１０には、ディスクユニット１００を着脱する際にガイドの役割をする溝２０２が設けられている。ディスクユニット１００は、キャリアアーム１０４が溝２０２に沿って装置本体２１０内に挿入されることで、最終的にハードディスク１２０の不図示のコネクタが装置本体２１０に設けられた基板２１１のコネクタ２１２と接続される構造となっている。このように本実施形態においては、ディスクユニット１００は、装置本体２１０の前方側から挿入可能とされており、且つ引き出すことができるようになっている。
【００１６】
また、キャリア１０１にはイジェクタ１０２が設けられており、このイジェクタ１０２を回転させることで、ディスクユニット１００における挿入動作或いは抜去動作を補助できるようにしている。また、イジェクタ１０２は、ディスクユニット１００が装置本体２１０に実装された状態ではキャリア１０１に設けられたストッパ１０３によりロックされる構造となっている。また、ディスクユニット１００が装置本体２１０に実装された状態においては振動等によりイジェクタ１０２が回転動作しないようになっている。
【００１７】
また、キャリア１０１の側面には突起１０５が設けられている。具体的に、突起１０５はキャリア１０１が溝２０２内に挿入された状態において、溝２０２の内壁面に接触するようにキャリア１０１の両側面に設けられている。
【００１８】
図２はディスクユニット１００を装置本体２１０内に実装した状態における要部の断面構成を示す図である。
図２に示されるように、装置本体２１０に実装されたディスクユニット１００は、装置本体２１０に設けられた溝２０２とキャリア１０１に設けられた突起１０５とが当接している。すなわち、ディスクユニット１００は、コネクタ２１２とキャリア１０１の両側面に設けられた突起１０５との合計３点で支持されるようになっている。
【００１９】
また、キャリアアーム１０４と溝２０２（装置本体２１０）の内壁面との間には、突起１０５の高さ分の隙間１３１が存在している。これにより、ハードディスク１２０から伝播された振動エネルギーによってキャリアアーム１０４が振動したとしても、キャリアアーム１０４が装置本体２１０に接触することが無く、自由振動するようになっている。
これにより装置本体の外部からの振動がディスクユニット１００に与える影響を抑えることが可能となっている。
【００２０】
また、本実施形態に係るハードディスク１２０は、図２中、符号１３２で示されるようにねじ１１２の取付部が他の部分に比べて突出した状態、すなわち凹凸形状を有している。このような取付面を有するハードディスク１２０を用いる場合、拘束板１１１が存在しないと、振動吸収体１１０がハードディスク１２０に密着しないため、振動吸収効果を得ることができない。これに対し、本実施形態によれば、振動吸収体１１０とハードディスク１２０との間に剛性を有する拘束板１１１が存在するので、ハードディスク１２０の表面形状（凹凸形状の有無）によらず、振動吸収体１１０による振動吸収効果を確実に得られるようになっている。
【００２１】
続いて、本発明の効果について説明する。
まず、振動吸収構造の概念をモデル図により説明する。
図３は拘束板１１１が存在しない場合の振動吸収概念モデル図である。図３に示されるように、振動によりキャリアアーム１０４が変形すると振動吸収体１１０も同様に変形する。このとき、拘束板１１１が設けられていないと、振動吸収体１１０に生じる圧縮や引っ張りなどの力が小さく、振動吸収体１１０による振動エネルギーを熱エネルギーなどの他のエネルギーに変換する効果をほとんど得ることができない。
【００２２】
したがって、振動吸収体１１０が振動エネルギーを吸収するためには、振動吸収体１１０の片側においてキャリアアーム１０４などの振動による変形を生じさせ、反対面は振動吸収体１１０を保持することが重要である。
【００２３】
図４（ａ）はキャリアアーム１０４に振動吸収体１１０が設けられ、さらに拘束板１１１が設けられた本実施形態に係る構成における振動吸収概念モデル図を示すものであり、図４（ｂ）は振動吸収体１１０が振動吸収する概念を示したモデル図である。
【００２４】
キャリアアーム１０４には、装置本体２１０と反対面に振動吸収体１１０が設けられ、さらに、この振動吸収体１１０を補助する拘束板１１１が設けられている。これにより、ハードディスク１２０からねじ１１２を経由してキャリアアーム１０４へ振動エネルギーが伝播され、キャリアアーム１０４が振動により変位し、キャリアアーム１０４に取り付けられている振動吸収体１１０が同様に変位しようとする。
【００２５】
ここで、振動吸収体１１０のキャリアアーム１０４と反対面には剛性の強い金属により成形された拘束板１１１が取り付けられているため、振動吸収体１１０はキャリアアーム１０４側の面が変形し、その反対面が拘束板１１１により静止される。したがって、振動吸収体１１０には圧縮や引っ張りなどの力が発生した状態となる。
【００２６】
以上述べたように、本実施形態のハードディスク装置２００においては、キャリアアーム１０４に伝播された振動エネルギーを振動吸収体１１０によって熱エネルギーなどの別のエネルギーに変換し、結果として振動エネルギーを吸収することができる。
【００２７】
また、各ディスクユニット１００が装置本体２１０に対して容易に着脱可能とされるため、優れた組み立て性を備えたものとなる。また、上述のように拘束板１１１を用いることで、ハードディスク１２０の取付面の形状に影響されることなく、信頼性の高い振動吸収性を得ることができる。
したがって、振動吸収性が損なわれることなく、優れた組み立て性を有したハードディスク装置２００を提供できる。
【００２８】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【符号の説明】
【００２９】
１２０…ハードディスク、１０１…キャリア（保持部）、１０４…キャリアアーム（アーム部）、１０５…突起、１１０…振動吸収体（振動吸収部材）、２００…ハードディスク装置、２０２…溝、２１０…装置本体（本体部）
【図１】
2010287261.tif 000003
【図２】
2010287261.tif 000004
【図３】
2010287261.tif 000005
【図４】
2010287261.tif 000006